(57)【要約】【課題】主となるデザイン印刷部及び従となるバーコード印刷部の貼付箇所をそれぞれ特定するようにして、デザイン印刷部が目立つようにした個包装菓子を提供する。【解決手段】角柱状又は角錐台状の菓子本体１０と、菓子本体１０をその外形に倣って個包装し、上面２１と、上面２１に稜部２３を介して隣接する側面２２とを有する包装フィルム２０と、裏面側に設けられた繰り返しの貼付・剥離が可能な接着層を介して包装フィルム２０の上面２１と側面２２とに跨って貼付されたデザインステッカー３０とを備え、デザインステッカー３０は、デザイン印刷部３１とバーコード印刷部３２とこれらを区画する破断線３３とを有し、破断線３３が稜部２３に一致しない稜部２３の近傍で、かつ稜部２３に平行に配置されることにより、デザイン印刷部３１が上面に貼付され、バーコード印刷部がほぼ側面２２に貼付される。【選択図】図１
2016074471.tif 000002
【特許請求の範囲】
【請求項１】
角柱状又は角錐台状の菓子本体と、
前記菓子本体をその外形に倣って個包装し、上面と、前記上面に稜部を介して隣接する側面とを有する包装フィルムと、
裏面側に設けられて繰り返しの貼付・剥離が可能な接着層を介して前記包装フィルムの前記上面と前記側面とに跨って貼付されたデザインステッカーと、を備え、
前記デザインステッカーは、
デザイン印刷部とバーコード印刷部とこれらを区画する破断線とを有し、前記破断線が前記稜部に一致しない前記稜部の近傍で、かつ前記稜部に平行に配置されることにより、前記デザイン印刷部がほぼ前記上面に貼付され、前記バーコード印刷部がほぼ前記側面に貼付される、
ことを特徴とする個包装菓子。
【請求項２】
前記破断線が、前記上面側に配置されている、
ことを特徴とする請求項１に記載の個包装菓子。
【請求項３】
前記デザイン印刷部は、前記上面とほぼ同形で、前記上面よりも小さく形成されている、
ことを特徴とする請求項２に記載の個包装菓子。
【請求項４】
前記菓子本体が、四角柱状又は四角錐台状に形成されている、
ことを特徴とする請求項１ないし３のいずれか１項に記載の個包装菓子。
【発明の詳細な説明】
【技術分野】
【０００１】
本発明は、チョコレート、キャラメル等の菓子本体を１つずつ個包装した個包装菓子に関する。
【背景技術】
【０００２】
特許文献１に開示されているタックシールは、商品を包装する包装用フィルムの外面に貼付される。このタックシールは、バーコード等が印刷されたタックシール本体部と応募用シール部とから構成されていて、これらは、境界に沿って形成された破断線によって分離可能となっている。応募用シール部は、破断線に沿ってタックシール本体部から切り離され、包装用フィルムから引きはがされて、その後、応募用の所定に台紙等に貼り付けられる。
【０００３】
このタックシールによれば、タックシール本体部と応募用シール部とが一体化されることにより、応募用シール部の作成及び取付等に要する手間を省いてコストを削減することができる、とされている。
【先行技術文献】
【特許文献】
【０００４】
【特許文献１】特開２００３−７２８４６号公報
【発明の概要】
【発明が解決しようとする課題】
【０００５】
しかしながら、上述のタックシールにおいて、応募用シール部は、バーコード等が印刷されたタックシール本体の付属物である。このため商品に対するタックシールの貼付位置は、バーコードが読み取りやすい等が優先されて、応募用シール部（本願発明のデザイン印刷部に相当）の位置はこれに付随することになり、応募用シール部自体は目立たなくなる。
【０００６】
本発明は、上述した事情に鑑みてなされたものであり、主となるデザイン印刷部及び従となるバーコード印刷部の貼付箇所をそれぞれ特定するようにして、デザイン印刷部が目立つようにした個包装菓子を提供することを目的とするものである。
【課題を解決するための手段】
【０００７】
請求項１に係る発明は、個包装菓子において、角柱状又は角錐台状の菓子本体と、前記菓子本体をその外形に倣って個包装し、上面と、前記上面に稜部を介して隣接する側面とを有する包装フィルムと、裏面側に設けられて繰り返しの貼付・剥離が可能な接着層を介して前記包装フィルムの前記上面と前記側面とに跨って貼付されたデザインステッカーと、を備え、前記デザインステッカーは、デザイン印刷部とバーコード印刷部とこれらを区画する破断線とを有し、前記破断線が前記稜部に一致しない前記稜部の近傍で、かつ前記稜部に平行に配置されることにより、前記デザイン印刷部がほぼ前記上面に貼付され、前記バーコード印刷部がほぼ前記側面に貼付される、ことを特徴とする。
請求項２に係る発明は、請求項１に係る個包装菓子において、前記破断線が、前記上面側に配置されている、ことを特徴とする。
【０００８】
請求項３に係る発明は、請求項２に係る個包装菓子において、前記デザイン印刷部は、前記上面とほぼ同形で、前記上面よりも小さく形成されている、ことを特徴とする。
【０００９】
請求項４に係る発明は、請求項１ないし３のいずれか１項に係る個包装菓子において、前記菓子本体が、四角柱状又は四角錐台状に形成されている、ことを特徴とする。
【発明の効果】
【００１０】
請求項１の発明によれば、例えば、デザイン印刷部に、写真、イラスト等のユーザの好みの印刷を施すことにより、初めから包装フィルムに印刷が施されている大量生産のものとは異なり、オリジナリティー溢れる個包装菓子を作製することができる。このため、例えば贈答用に好適である。また、デザインステッカーには、デザイン印刷部と同時にバーコード印刷部も印刷し、これらを包装フィルムの外面に貼付することにより、販売者は、別途にバーコードを設けることなく、個包装菓子の管理が容易となる。また、角柱状又は角錐台状の包装フィルムの外面のうちの、上面にデザインステッカーのデザイン印刷部を貼付し、側面にバーコード印刷部を貼付することにより、デザイン印刷部を目立たせ、バーコード印刷部は目立たないようにすることができる。また、デザイン印刷部とバーコード印刷部との間には、これらを区画する破断線が形成されていて、この破断線が、稜部の近傍で、かつ稜部に平行に位置しているので、例えば、ユーザが個包装菓子を贈答用として使用する場合、バーコード印刷部を簡単に破断線で切り取って剥がすことができ、この場合、残ったデザイン印刷部が体裁よく残る。なお、破断線が稜部と一致した場合には、取扱時の摩擦等によって破断線が切れやすくなるが、破断線を稜線部からずらすことにより、このような不具合を防止することができる。さらに、デザインステッカーは、繰り返しの貼付・剥離が可能な接着層を介して包装フィルムに貼付されているので、例えば、個包装菓子を、ユーザから贈答品として送られた者は、デザイン印刷部を破断線から切り取って剥がし、自身の携帯電話や手帳に貼付して楽しむことができる。
【００１１】
請求項２の発明によれば、仮に破断線が側面側にあった場合には、バーコード印刷部を切り取った場合に、デザイン印刷部の一部が側面側に残ってしまうため、美粧性に劣る。また、この場合には、デザイン印刷部の一部が、稜部で屈曲されるため、上述のように、デザイン印刷部を切り取って携帯電話や手帳に貼付して楽しむ場合、屈曲した稜部の跡が残ってしまう。破断線が上面側に位置するようにしておけば、このような不具合を防止できる。
【００１２】
請求項３の発明によれば、デザイン印刷部を包装フィルムの上面とほぼ同形で、上面よりも小さく形成することにより、例えば、ユーザが個包装菓子を贈答品として、バーコード印刷部を切り取って使用する場合、包装フィルムの上面の地が、デザイン印刷部の周囲に額縁状に露出されるため、美粧性に優れたものとすることができる。
【００１３】
請求項４の発明によれば、菓子本体が四角柱状又は四角錐台状に形成されているため、複数の個包装菓子を縦横に整列させて箱詰めする際、安定した姿勢でコンパクトに纏めることができる。
【図面の簡単な説明】
【００１４】
【図１】（Ａ）〜（Ｅ）は個包装菓子を説明する図であり、このうち、（Ａ）はデザインステッカーが貼付される前の状態を示し、（Ｂ）はデザインステッカーが貼付される直前のようすを示し、（Ｃ）はデザイン印刷部が包装フィルムの上面に貼付されたようすを示し、（Ｄ）はさらに、バーコード印刷部が側面に貼付されて個包装菓子が完成した状態を示し、（Ｅ）は個包装菓子からデザイン印刷部が切り取られて剥がされるようすを示す図である。
【図２】デザインステッカーの印刷例を説明する図である。
【発明を実施するための形態】
【００１５】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図２を参照して本発明を適用した実施形態１に係る個包装菓子１について説明する。
【００１６】
ここで、図１（Ａ）〜（Ｅ）は個包装菓子１を説明する図であり、このうち、（Ａ）はデザインステッカー３０が貼付される前の状態を示し、（Ｂ）はデザインステッカー３０が貼付される直前のようすを示し、（Ｃ）はデザイン印刷部３１を包装フィルム２０の上面２１に貼付されたようすを示し、（Ｄ）はさらに、バーコード印刷部３２が側面２２に貼付されて個包装菓子１が完成した状態を示し、（Ｅ）は個包装菓子１からデザイン印刷部３１が切り取られて剥がされるようすを示す図である。また、図２は、デザインステッカー３０の印刷例を説明する図である。
図１に示すように、個包装菓子１は、菓子本体１０、包装フィルム２０、及びデザインステッカー３０を備えている。
【００１７】
菓子本体１０は、図示例では、正方形状の上面及び下面、並びに４つの長方形状の側面を有する正四角柱状に形成されている。菓子本体１０としては、例えば、チョコレート、キャラメル、ブロック状のスナック菓子等があげられる。なお、菓子本体１０は、正四角柱状に限定されず、上面及び下面が長方形状の四角柱状、さらには、三角柱状、五角柱状、六角柱状、八角柱状等の角柱状であってもよい。また、正四角錐台状、四角錐台状、三角錐台状、五角錐台状、六角錐台状、八角錐台状等の角錐台状であってもよい。
【００１８】
包装フィルム２０は、薄いシート状に形成されていて、菓子本体１０の外形に倣ってこれに密着するようにして菓子本体１０を個包装している。このため、包装フィルム２０の外面には、菓子本体１０の形状がそのまま現われる。菓子本体１０が図示例のような正四角柱状の場合には、包装フィルム２０は、正方形の上面（主となる面）２１、４つの長方形状の側面（従となる面）２２、上面２１と側面２２との境界となる稜部２３等を有する。つまり、上面２１には、稜部２３を介して、４つの側面２２が隣接している。なお、上面２１は、一辺の長さがＡの正方形に形成されている。
【００１９】
デザインステッカー３０は、裏面側に、繰り返しの貼付・剥離を可能とする接着剤が塗布された接着層（不図示）が設けられている。デザインステッカー３０全体は、この接着層を介して、包装フィルム２０の上面２１と１つの側面２２とに跨がるようにして貼付されている。
【００２０】
デザインステッカー３０は、デザイン印刷部３１と、バーコード印刷部３２と、これらを区画する破断線３３とを有している。デザイン印刷部３１は、一辺の長さが上述の上面２１の一辺の長さＡよりも小さいＢの正方形状に形成されている。また、デザイン印刷部３１の表面には、例えば、図２に示すようなデザインＤ１〜Ｄ７が印刷されている。印刷するデザインＤ１〜Ｄ７としては、写真やイラストを採用することができる。一方、バーコード印刷部３２には、個包装菓子１に関する情報を提供するバーコード３２ａが印刷されている。これらデザインＤ１〜Ｄ７、及びバーコード３２ａは、同時に印刷される。デザイン印刷部３１とバーコード印刷部３２との境界となる破断線３３は、デザインステッカー３０を幅方向の全幅にわたって横断するように形成されており、例えば、ミシン目が入れられていて切断が容易となっている。さらに、図２に示すように、破断線３３の両端には、切断を一層容易にするために、切欠部３３ａが設けてある。
【００２１】
上述の破断線３３は、図１（Ｃ）〜（Ｅ）に示すように、包装フィルム２０の１つの稜部２３の近傍でかつこの稜部２３に平行に配置されている。さらに、図示例では、破断線３３は、側面２２側ではなく、上面２１側に配設されている。これにより、デザインステッカー３０のデザイン印刷部３１は、その全体が上面２１に貼付され、一方、バーコード印刷部３２は、そのほとんどが側面２２に貼付される。
【００２２】
このように、デザイン印刷部３１は、稜部２３にかかっていないため、デザイン印刷部３１に稜部２３に対応する折り目が付くことを防止できる。このため、デザイン印刷部３１は、破断線３３で切り取って剥がし、携帯電話や手帳に再度貼付する際に、稜部２３に対応した折り目が付いていないため、見栄えよく使用することができる。
【００２３】
本実施形態では、図１（Ｄ）に示すように、稜部２３と破断線３３との間隙Ｇを、デザイン印刷部３１の３つの端縁３１ａとこれらに対応する稜部２３との間隙に合わせている。つまり、（Ａ−Ｂ）／２＝Ｇとなるようにこれらの寸法が設定されている。
【００２４】
これにより、例えば、包装フィルム２０に貼付された状態のデザインステッカー３０からバーコード印刷部３２を破断線３３で切り取って剥がし、デザイン印刷部３１はそのまま残した場合には、デザイン印刷部３１の破断線３３及び３つの端縁３１ａの周囲には、包装フィルム２０の上面２１の地が額縁状に露出されることになる。
【００２５】
図２を参照して、デザインステッカー３０の印刷例を説明する。図示例では、デザインステッカー３０は、剥離紙（台紙：不図示）に縦横７列ずつの合計４９枚が整列状態て配置されている。これら４９枚のデザインステッカー３０に対し、例えば、インクジェットプリンタ（不図示）により、７種のデザインＤ１〜Ｄ７をそれぞれ７枚ずつ印刷することができる。もちろん、この際、それぞれのデザインステッカー３０のバーコード印刷部３２にバーコード３２ａを同時に印刷することができる。
以下に、上述の個包装菓子１の作用、効果を整理する。
【００２６】
・個包装菓子１は、例えば、デザイン印刷部３１に、写真、イラスト等のユーザの好みの印刷を施すことにより、初めから包装フィルム２０に印刷が施されている大量生産のものとは異なり、オリジナリティー溢れる個包装菓子１を作製することができる。このため、例えば贈答用に好適である。また、デザインステッカー３０には、デザイン印刷部３１と同時にバーコード印刷部３２も印刷し、これらを包装フィルム２０の外面に貼付することにより、販売者は、別途にバーコード３２ａを設けることなく、個包装菓子１の管理が容易となる。また、角柱状又は角錐台状の包装フィルム２０の外面のうちの、主となる上面２１にデザインステッカー３０のデザイン印刷部３１を貼付し、従となる側面２２にバーコード印刷部３２を貼付することにより、デザイン印刷部３１を目立たせ、バーコード印刷部３２は目立たないようにすることができる。また、デザイン印刷部３１とバーコード印刷部３２との間には、これらを区画する破断線３３が形成されていて、この破断線３３が、稜部２３の近傍で、かつ稜部２３に平行に位置しているので、例えば、ユーザが個包装菓子１を贈答用として使用する場合、バーコード印刷部３２を簡単に破断線３３で切り取って剥がすことができ、この場合、残ったデザイン印刷部３１が体裁よく残る。なお、破断線３３が稜部２３と一致した場合には、取扱時の摩擦等によって破断線３３が切れやすくなるが、破断線３３を稜部２３からずらすことにより、このような不具合を防止することができる。さらに、デザインステッカー３０は、繰り返しの貼付・剥離が可能な接着層を介して包装フィルム２０に貼付されているので、例えば、個包装菓子１を、ユーザから贈答品として送られた者は、デザイン印刷部３１を破断線３３から切り取って剥がし、自身の携帯電話や手帳に貼付して楽しむことができる。
【００２７】
・個包装菓子１は、仮に破断線３３が側面２２側にあった場合には、バーコード印刷部３２を切り取った場合に、デザイン印刷部３１の一部が側面２２側に残ってしまうため、美粧性に劣る。また、この場合には、デザイン印刷部３１の一部が、稜部２３で屈曲されるため、上述のように、デザイン印刷部３１を切り取って携帯電話や手帳に貼付して楽しむ場合、稜部２３の跡が屈曲して残ってしまう。破断線３３が上面２１側に位置するようにしておけば、このような不具合を防止できる。
【００２８】
・個包装菓子１は、デザイン印刷部３１を包装フィルム２０の上面２１とほぼ同形で、上面２１よりも小さく形成することにより、例えば、ユーザが個包装菓子１を贈答品として、バーコード印刷部３２を切り取って使用する場合、包装フィルム２０の上面２１の地が、デザイン印刷部３１の周囲に額縁状に露出されるため、美粧性に優れたものとすることができる。
【００２９】
・個包装菓子１は、菓子本体１０が四角柱状又は四角錐台状に形成されているため、複数の個包装菓子１を縦横に整列させて箱詰めする際、安定した姿勢でコンパクトに纏めることができる。
【符号の説明】
【００３０】
１      個包装菓子
１０    菓子本体
２０    包装フィルム
２１    上面
２２    側面
２３    稜部
３０    デザインステッカー
３１    デザイン印刷部
３２    バーコード印刷部
３３    破断線
Ｄ１〜Ｄ７  デザイン
【図１】
2016074471.tif 000003
【図２】
2016074471.tif 000004